(57)【要約】【課題】  特許等のライセンス販売とを特許商品を販売するウェブページを自動的に生成する。【解決手段】記憶装置に記憶された特許等の出願データから、出願明細書のデータと図面データとを抽出して、発明等を紹介するページを生成する手段と、記憶装置に記憶された特許等の願書のデータから、特許等の出願人（特許権者等）や発明者等のデータを抽出し、特許番号や特許出願番号を抽出して、販売責任者表示データを生成する手段と、商品を撮影した画像データを含む商品カタログを取り込むデータ入力手段と、発明等を紹介するページと、販売責任者表示データを含むページと、商品カタログを含むページとを連結した定形化された商品販売のためのページデータを生成する手段と、生成されたウェブページを、ウェブサイトを構成するウェブサーバの記憶装置に記憶させる手段とを備えた。【選択図】図７５
2012243169.tif 000002
【特許請求の範囲】
【請求項１】
記憶装置に記憶された特許等の出願データから、出願明細書のデータと図面データとを抽出して、発明等を紹介するページを生成する出願紹介ページ生成手段と、
記憶装置に記憶された特許等の願書のデータから、特許等の出願人（特許権者等）や発明者等のデータを抽出し、特許番号や特許出願番号を抽出して、販売責任者表示データを生成する販売責任者データ生成手段と、
商品を撮影した画像データを含む商品カタログを取り込む商品カタログデータ入力手段と、
前記発明等を紹介するページと、前記販売責任者表示データを含むページと、前記商品カタログを含むページとを連結した定形化された商品販売のためのページデータを生成する定形化ウェブページ手段と、
生成された前記定形化ウェブページを、ウェブサイトを構成するウェブサーバの記憶装置に記憶させる定形化ウェブページアップロード手段とを備えたことを特徴とするネット販売ウェブサイト生成システム。
【発明の詳細な説明】
【技術分野】
【０００１】
本発明は、多種の商品に関する特許等のライセンスとその特許等にかかわる商品とを同時に販売するためのウェブページを、定型的に自動的に生成することができるネット販売ウェブサイト生成システムに関する。
【背景技術】
【０００２】
商品をウェブサイトで販売するシステムは、各種開発されている（特許文献１参照）。特許や実用新案を出願した商品を販売する場合には、商品紹介のページに「特許出願中」といった表示をする。また、特許等のライセンスを販売する場合には、商品紹介のページに、実施許諾の用意があるといった表示をする。
【先行技術文献】
【特許文献】
【０００３】
【特許文献１】特開２００８−１４０２２６号公報
【発明の概要】
【発明が解決しようとする課題】
【０００４】
特許自体を販売したり、ライセンスをするために、専用のウェブサイト等も設けられる。しかしながら、商品販売のためのページと違って、特許販売のためのページは面白さに欠けるため、アクセス件数が増えないという問題がある。また、ウェブサイトで興味ある特許を見付けたとしても、その特許で実際にどのように商品化できるかが分からないと、特許の価値判断もし難い。
本発明は、以上の点に着目してなされたもので、特許等のライセンス販売を希望する利用者から取得した特許等の出願データを、ウェブページに編集すると同時に、特許商品を販売するウェブページを組み合わせて、両者を含むウェブサイトを自動的に生成することができるシステムを提供することを目的とする。
【課題を解決するための手段】
【０００５】
記憶装置に記憶された特許等の出願データから、出願明細書のデータと図面データとを抽出して、発明等を紹介するページを生成する出願紹介ページ生成手段と、記憶装置に記憶された特許等の願書のデータから、特許等の出願人（特許権者等）や発明者等のデータを抽出し、特許番号や特許出願番号を抽出して、販売責任者表示データを生成する販売責任者データ生成手段と、商品を撮影した画像データを含む商品カタログを取り込む商品カタログデータ入力手段と、前記発明等を紹介するページと、前記販売責任者表示データを含むページと、前記商品カタログを含むページとを連結した定形化された商品販売のためのページデータを生成する定形化ウェブページ手段と、生成された前記定形化ウェブページを、ウェブサイトを構成するウェブサーバの記憶装置に記憶させる定形化ウェブページアップロード手段とを備えたことを特徴とするネット販売ウェブサイト生成システム。
【発明の効果】
【０００６】
自動的に生成されたウェブページをウェブサーバにアップロードすることにより、特許やライセンスを販売し、同時に特許商品を紹介し、そのまま商品を販売することができる。
【図面の簡単な説明】
【０００７】
【図１】自動処理された出願紹介のページ説明図である。
【図２】自動処理された出願紹介のページ説明図である。
【図３】自動処理された出願紹介のページ説明図である。
【図４】自動処理された出願紹介のページ説明図である。
【図５】自動処理された出願紹介のページ説明図である。
【図６】自動処理された出願紹介のページ説明図である。
【図７】自動処理された出願紹介のページ説明図である。
【図８】自動処理された出願紹介のページ説明図である。
【図９】自動処理された出願紹介のページ説明図である。
【図１０】自動処理された出願紹介のページ説明図である。
【図１１】自動処理された出願紹介のページ説明図である。
【図１２】自動処理された出願紹介のページ説明図である。
【図１３】自動処理された出願紹介のページ説明図である。
【図１４】自動処理された出願紹介のページ説明図である。
【図１５】自動処理された出願紹介のページ説明図である。
【図１６】自動処理された出願紹介のページ説明図である。
【図１７】自動処理された出願紹介のページ説明図である。
【図１８】自動処理された出願紹介のページ説明図である。
【図１９】自動処理された出願紹介のページ説明図である。
【図２０】自動処理された出願紹介のページ説明図である。
【図２１】自動処理された出願紹介のページ説明図である。
【図２２】自動処理された出願紹介のページ説明図である。
【図２３】自動処理された出願紹介のページ説明図である。
【図２４】自動処理された出願紹介のページ説明図である。
【図２５】自動処理された出願紹介のページ説明図である。
【図２６】自動処理された出願紹介のページ説明図である。
【図２７】自動処理された出願紹介のページ説明図である。
【図２８】自動処理された出願紹介のページ説明図である。
【図２９】自動処理された出願紹介のページ説明図である。
【図３０】自動処理された出願紹介のページ説明図である。
【図３１】自動処理された出願紹介のページ説明図である。
【図３２】自動処理された出願紹介のページ説明図である。
【図３３】自動処理された出願紹介のページ説明図である。
【図３４】自動処理された出願紹介のページ説明図である。
【図３５】自動処理された出願紹介のページ説明図である。
【図３６】自動処理された出願紹介のページ説明図である。
【図３７】自動処理された出願紹介のページ説明図である。
【図３８】自動処理された出願紹介のページ説明図である。
【図３９】自動処理された出願紹介のページ説明図である。
【図４０】自動処理された出願紹介のページ説明図である。
【図４１】自動処理された出願紹介のページ説明図である。
【図４２】自動処理された出願紹介のページ説明図である。
【図４３】自動処理された出願紹介のページ説明図である。
【図４４】自動処理された出願紹介のページ説明図である。
【図４５】自動処理された出願紹介のページ説明図である。
【図４６】自動処理された出願紹介のページ説明図である。
【図４７】自動処理された出願紹介のページ説明図である。
【図４８】自動処理された出願紹介のページ説明図である。
【図４９】自動処理された出願紹介のページ説明図である。
【図５０】自動処理された出願紹介のページ説明図である。
【図５１】自動処理された出願紹介のページ説明図である。
【図５２】自動処理された出願紹介のページ説明図である。
【図５３】自動処理された出願紹介のページ説明図である。
【図５４】自動処理された出願紹介のページ説明図である。
【図５５】自動処理された出願紹介のページ説明図である。
【図５６】自動処理された出願紹介のページ説明図である。
【図５７】自動処理された出願紹介のページ説明図である。
【図５８】自動処理された出願紹介のページ説明図である。
【図５９】自動処理された出願紹介のページ説明図である。
【図６０】自動処理された出願紹介のページ説明図である。
【図６１】自動処理された出願紹介のページ説明図である。
【図６２】自動処理された出願紹介のページ説明図である。
【図６３】自動処理された出願紹介のページ説明図である。
【図６４】自動処理された出願紹介のページ説明図である。
【図６５】自動処理された出願紹介のページ説明図である。
【図６６】自動処理された出願紹介のページ説明図である。
【図６７】自動処理された出願紹介のページ説明図である。
【図６８】自動処理された出願紹介のページ説明図である。
【図６９】自動処理された出願紹介のページ説明図である。
【図７０】自動処理された出願紹介のページ説明図である。
【図７１】自動処理された出願紹介のページ説明図である。
【図７２】自動処理された出願紹介のページ説明図である。
【図７３】自動処理された出願紹介のページ説明図である。
【図７４】自動処理された出願紹介のページ説明図である。
【図７５】図７５は実施例１のネット販売ウェブサイト生成システム１０を示すブロック図である。
【図７６】図７６は、定形化ウェブページ４４の例説明図である。
【発明を実施するための形態】
【０００８】
以下、本発明の実施の形態を実施例毎に詳細に説明する。
【実施例１】
【０００９】
図７５は実施例１のネット販売ウェブサイト生成システム１０を示すブロック図である。
ネット販売ウェブサイト生成システム１０は、下記の構成を備えている。
記憶装置１２に記憶された特許等の出願データ１４から、出願明細書のデータ１６と図面データ１８とを抽出して、発明等を紹介するページ２０を生成する手段と、記憶装置１２に記憶された特許等の願書のデータ２４から、特許等の出願人２６（特許権者等）や発明者等のデータ２８を抽出し、特許番号３０や特許出願番号３２を抽出して、販売責任者表示データ３４を生成する手段と、商品を撮影した画像データ３８を含む商品カタログ４０を取り込むデータ入力手段４２と、発明等を紹介するページ２０と、販売責任者表示データ３４を含むページと、商品カタログ４０を含むページとを連結した定形化された商品販売のための定形化ウェブページ４４を生成する手段と、生成されたウェブページを、ウェブサイトを構成するウェブサーバ４８の記憶装置１２に記憶させる手段とを備えた。
【００１０】
自動的に生成されたウェブページ４４をウェブサーバ４８にアップロードすることにより、特許やライセンスを販売し、同時に特許商品を紹介し、そのまま商品を販売することができる。
【００１１】
本発明では、販売等を希望する利用者から取得した特許等の出願データ１４を、特許販売やライセンス販売に適したレイアウトのウェブページ４４に編集する。特許出願データ１４は、願書や特許出願明細書のデータ１６と図面データ１８とを含む。編集手段は、願書のデータ２４により、特許出願人２６（特許権者）や発明者のデータを抽出し、その他に、特許番号３０や特許出願番号３２を抽出して、販売責任者表示データ３４を生成する。
【００１２】
さらに編集手段は、特許出願明細書のデータ１６から、発明の名称と要約書と代表図面部分を抽出して特許紹介のためのページデータを生成する。続いて、スキャナで取り込んだ商品カタログ４０や商品を撮影した画像データ３８を、データ入力手段を用いて取り込んで、編集手段は、定形化された商品販売のためのページデータを生成する。
【００１３】
こうして生成されたウェブページを、ウェブサイトを構成するウェブサーバ４８の記憶装置１２に記憶させる。以上の処理により、特許やライセンスを販売し、同時に特許商品を販売するウェブサイトを生成することができる。このウェブサイトによれば、特許の内容と、その特許を使用した実際の商品とを同時に紹介できるので、特許の対象である発明を理解すると同時に、その発明が実際に実用化され商品化まで進んでいることを認識できる。しかも、試みに特許製品を購入してみて、その価値を認識した上で、特許やライセンスの購入交渉を始めることができる。
【実施例２】
【００１４】
図７６は、定形化ウェブページ４４の例説明図である。
図７６に示すように、定形化ウェブページ４４には、出願紹介のページと、販売責任者データと、商品カタログデータが含まれている。出願紹介のページは、出願紹介ページ生成手段２２が生成する。販売責任者データは販売責任者データ生成手段３６が生成する。商品カタログデータは商品カタログデータ生成手段入力手段４２により入力されて生成される。
【００１５】
販売責任者データは各出願紹介のページの発明者もしくは出願人名と、連絡先等を含む。これは、既知の商品販売用ウェブページに習って生成するとよい。商品カタログの構成は任意で、動画等を含むと商品の販売促進に結びつく。
【００１６】
図１〜図７４は、自動処理された出願紹介のページ説明図である。
以下、本発明のシステムにより自動的に生成された、出願紹介のページを例示する。
【００１７】
［出願紹介のページ］
【００１８】
［発明の名称］（Ｔ１）
着脱式膝掛け
［発明者］最上  知美
［技術分野］
本発明は簡単に着脱ができる膝掛けに関する
［課題］
自分の席の近くに移動するために、頻繁に立ち座りをする業務も多い。
自分の席で仕事をしているとき、膝掛けをしていれば、立つたびに膝掛けを椅子等の上に置かなければならない。席に戻って座る時も膝掛けを掛け直さなければならない。スカートタイプの膝掛けもあるが、人前で脱ぎ着するのは大変で、恥ずかしさもある。
本発明は、上記の課題を解決する。
（１）膝掛けを使用していたい時には簡単に取り付けられる
（２）使用しない時はすぐに取りはずす事が出来る
（３）立ち座りの多い仕事ほど、着脱のための時間短縮になる。
（４）操作が簡単で、わずらわしさが無くなる。
［解決手段］
以下の構成はそれぞれ上記の課題を解決するための手段である。
［構成１］  膝掛けのウエストの所に、長さの調節出来るゴムバンドを固定する。
ゴムバンドは、ウエストに巻き付けてボタンで止める構造にする。
［構成２］  長さの調節出来るゴムバンドの両端に、その両端をワンタッチで結束するプラスチックバックルを取り付ける。
［効果］  ゴムバンドの長さを自由に変える事が出来るので、使用者の体に合った好みの長さにすることが出来る。
長さの調節出来るゴムバンドの両端にプラスチックバックルを取り付けると、立ち座りする時に、膝掛けを掛け直す手間がかからず、取りたい時は簡単に取りはずす事が出来る。
［図面の説明］
図１Ｔ１  着脱式膝掛けの材料を説明する説明図である
図２Ｔ１  ウエストの所に長さの調節出来るゴムバンドを通す工程の説明図である
図３Ｔ１  ウエストの所に長さの調節出来るゴムバンドとプラスチックバックルを取り付ける工程の説明図である
図４Ｔ１  着脱式膝掛けゴムバンド用の正面図と背面図である
図５Ｔ１  腰まわりに合わせた膝掛けの場合、直に膝掛けにプラスチックバックルを縫い付けてしまうものの説明図である
図６Ｔ１  着脱式膝掛けプラスチックバックル用の背面図である
図７Ｔ１  クリップとプラスチックバックルを接続した取付具を付けた着脱式膝掛けの平面図である
図８Ｔ１  着脱式膝掛けクリッププラスチックバックル用の取付具を付けた正面図と背面図の完成図である
図９Ｔ１  ファスナーテープを縫いつけた平面図と背面図である
［実施例］
図１Ｔ１は、着脱式膝掛けの材料を説明する説明図である。
（a）は本体部分の材料に使用する布１０
（b）は２ｃｍ幅の長さの調節出来るボタンホールの沢山付いているゴムバンド１２
（c）は２cm幅の長さの調節出来る自分の好みの長さに固定するためのボタン１４
（d）プラスチックバックル１６（固定して使用する側）
（e）プラスチックバックル１８（長さの調節して使用する側）
（f）プラスチックバックルとセットで使用するクリップ１９
（g）３ｃｍ幅の面ファスナー（ループ）２０
（h）３ｃｍ幅の面ファスナー（鍵）２１
図２Ｔ１は、ウエストの所に長さの調節出来るゴムバンドを通す工程の説明図である。
（a）の膝掛け１０の上部に長さの調節出来るゴムバンド１２を通す為の輪を作る為、３cm幅に折り返して縫う。
（c）膝掛け１０の左端にゴムバンド１２が膝掛け１０の折り返して縫った輪の中に入り込まない様に固定するボタン１４を縫い付ける。
図３Ｔ１は、ウエストの長さの調節出来るゴムバンドとプラスチックバックルの取り付ける工程の説明図である。
（a）は膝掛け１０の上部に長さの調節出来るボタンホールの沢山付いているゴムバンド１２を通して、そのゴムバンド１２を固定するボタン１４にとめる。
（b）はゴムバンド１２の長さが調節出来るプラスチックバックル１８を取り付ける。
（c）は（b）の反対側から出ているゴムバンド１２に固定して使用するプラスチックバックル１６を縫い付け膝掛け１０の折り返して縫った輪の中にゴムバンド１２の強さに引っ張られて、入り込まない様に膝掛け１０の折り返して縫った輪の端に膝掛け１０の布にも直接縫い付ける。
（c）の場合がちゃんと縫われて固定したら自分の好みの長さにゴムバンド１２を引っ張り反対側に付けたボタン１４にゴムバンド１２をとめプラスチックバックル１８に通したゴムバンド１２の長さも調節して完成する。
図４Ｔ１は、着脱式膝掛けゴムバンド用の正面図と背面図である。
（a）に示す様に着脱式膝掛け１０のゴムバンド用の前から見た所である。
（b）に示す様に着脱式膝掛け１０のゴムバンド用の後ろから見た所である。
図５Ｔ１は、腰まわりに合わせた膝掛けの場合、直に膝掛けにプラスチックバックルを縫い付けてしまうものの説明図である。
図５Ｔ１は、着脱式膝掛け１０の横幅が自分の腰まわりのサイズに合えば、折り返して縫ってゴムバンド１２を入れて分厚くなる事も無く、そのまま着脱式膝掛け１０の両端に
プラスチックバックル１６、１８を直に縫い付けた物も使いやすい。
図６Ｔ１は、着脱式膝掛け１０のプラスチックバックル用の背面図である。
図７Ｔ１は、クリップとプラスチックバックルを接続した取付具を付けた着脱式膝掛けの平面図である。
図７Ｔ１に示したクリップ１９やプラスチックバックル１６、１８を図７Ｔ１に示したように膝掛け１０に装着するとよい。
膝掛けの長さが腰回りより長いときは上側に装着し、膝掛けの長さが腰回りより短いときは両端に装着するとよい。
図８Ｔ１は、着脱式膝掛けクリッププラスチックバックル用の取付具を付けた正面図と背面図の完成図である。
図９Ｔ１  面ファスナーテープを縫いつけた平面図と背面図である。
（a）で示すように、面ファスナーのループ２０と面ファスナーの鍵２１を両端の裏と表なるように縫いつけ腰に巻いて面ファスナーで留めて使用するタイプの物である。
面ファスナーを長めにすることによってウエストサイズに対応できる物になる。
（b）で示すように、着脱式膝掛け１０の面ファスナー２０，２１用の後ろから見た所である。
着脱式膝掛け１０は、ゴムバンド用、プラスチックバックル用、クリッププラスチックバックル用、面ファスナー用の四通りのパターンになる。
［符合の説明］
１０  膝掛け
１２  ２cm幅の長さの調節出来るボタンホール付きのゴムバンド
１４  ゴムバンドを固定するボタン
１６  プラスチックバックル
１８  プラスチックバックル
１９  クリップ
２０  面ファスナー（ループ）
２１  面ファスナー（鍵）
【００１９】
［発明の名称］（Ｔ２）
雨でも換気できる構造物
［発明者］最上  知美
［技術分野］
風呂等の窓の外等に取り付け、目隠しになり雨でも換気できる構造物に関する。
［課題］
風呂等の窓の外に目隠しが必要になる場合も多い。窓の外側に柵があれば、この柵に貼り付ける目隠しの様な構造物はある。しかし、窓の外に柵がなければ使用できない。
本発明は上記の課題を解決するためのもので、目隠しになり、簡単に取付ができる雨でも換気できる構造物を提供する。
［手段］
以下の構成はそれぞれ上記の課題を解決するための手段である。
［構成１］  Ｌ字状に板を折り曲げたものであって、幅広部は網戸の一部を覆い、幅狭部分は、網戸の枠に貼り付け固定される雨でも換気できる構造物。
［効果］
（１）網戸の枠に貼って使用することが出来るようにする。
（２）目隠しになり雨でも換気できるようにする。
（３）網戸と窓の隙間から換気ができるようにする。
（４）突然雨が降ってきても部屋の中が濡れる事が無い。
一番効果が期待出来るのは風呂場の隣の部屋である。
風呂場の隣の部屋は湿気がたまりやすい。
この部屋の窓の網戸の枠に貼っておく。
晴れ雨に関わらず外出する以外は年中換気しておける。
もちろん、他の部屋でも換気をする為に使用出来る。
雨が降りそうな時でも外を気にする事が無くなる
［図面の説明］
図１Ｔ２  雨でも換気の材料を説明する説明図である。
図２Ｔ２  雨でも換気の取り付け方法を示す説明図である。
図３Ｔ２  雨でも換気の使用方法を示す説明図である。
［実施例］
以下本発明の実施の形態を詳細に説明する。
図１Ｔ２は雨でも換気できる構造物を説明する説明図である。
Ｌ字状に板を折り曲げたものである。素材はプラスチックのＬ字板が好ましい。幅広部１０は網戸の一部を覆う。幅狭部分は、網戸の枠１４に貼り付け固定される。幅狭部１２には粘着シートが貼ってある。
図２Ｔ２は雨でも換気の取り付け方法を示す説明図である。
（a）は網戸の上から見た図である。
網戸の枠１４の所に幅狭部１２を粘着シートを使用して貼り付ける。
（b）の様に網戸の枠１４を幅広部１０雨で覆うので、その部分だけ網戸の網１６の部分が隠れる。
図３Ｔ２は雨でも換気の使用方法を示す説明図である。
図に示すように、網戸の枠１４に、上記の構造物を貼り付ける。網戸の枠１４は壁２２に突き当てる。そして、内側の窓ガラス２０の枠１８が網戸の構造物に５cm位重なる様に窓を開けて使用する。これにより、矢印に示すように、網戸１６と窓ガラス２０の隙間に風が通るので年中換気が出来る。雨の降りそうな時でも網戸１６の構造物と窓ガラス２０が雨の吹き込みを防ぐ。
雨でも風だけ通るので、天気を気にせずに換気が出来る。
［符合の説明］
１０  幅広部
１２  幅狭部
１４  網戸の枠
１６  網戸の網
１８  窓の枠
２０  窓のガラス
２２  壁
【００２０】
［発明の名称］（Ｔ３）
保存ビンの中蓋
［発明者］最上  知美
［技術分野］
本発明の中蓋は小麦粉や片栗粉等の粉の保存用ビンの中に入れて使用する。
［課題］
従来の技術では保存容器になっていても、入っている粉と蓋の間に空気が入っているので、粉が新鮮に保てなくなり鮮度もおちる。
上記の課題を解決するために本発明は中蓋を入れて空気を遮断し、ビンの中の粉の量に関わらず長い間新鮮に保つ。
［解決手段］
保存容器として使用されるビン本体の内側に嵌る外径を有する中蓋と、この中蓋とビン本体の内側との隙間を埋めるゴムパッキンを備えた保存ビンの中蓋。
［効果］  中蓋を使用する事によって、粉の上に空間を作らず、粉の減り具合に関わらず、空気に触れない構造に出来る。
［図面］
図１Ｔ３  保存ビンの中蓋の材料を説明する説明図である。
図２Ｔ３  中蓋を使用した透明の保存ビンの斜視図である。
［実施例］
（a）は外蓋１０の側面図である。
（b）は外蓋１０にはめるゴムパッキン１２の斜視図である。
（c）は中蓋１４の断面である。
（d）は中蓋１４の外側部に接着して取り付けるパッキン１６の斜視図である。
（e）は粉を入れるビン１８の断面図である。
図２Ｔ３に示すように、ビン本体１８に収容された粉２０の直上に、中蓋１４が乗っている。中蓋１４と外蓋１０との間には空間があるが、中蓋１４と粉２０との間に空間が無く、粉２０を新鮮に保てる。
［符合の説明］
１０  外蓋
１２  外蓋にはめるゴムパッキン
１４  中蓋
１６  中蓋に付けるゴムパッキン
１８  ビン本体
２０  粉
【００２１】
［発明の名称］（Ｔ４）
トイレットペーパー巻き付け器
［発明者］最上  知美
［技術分野］
本発明は、トイレットペーパーを片手で巻き付けられるようにした器具に関する。
［課題］
トイレットペーパーは、一般に、手で何重かに巻き付けて使用する。しかし、片手が不自由な場合には、この作業が困難である。
［図面の簡単な説明］
図１Ｔ４  本発明の装置の正面図である。
（a）片手でトイレットペーパーが巻けて切れる本体
（b）カバーの蓋の裏側に取り付けるカバー
図２Ｔ４  本発明の装置の側面図である。
図３Ｔ４  本発明の装置の斜視図である。
［発明を実施するための形態］
図１Ｔ４は本発明のトイレットペーパー巻き付け器の正面図である。
土台１０は、壁面に片手でも装着出来る様に、裏側は全面粘着シールになっている。トイレットペーパーフォルダーが入る場所１８には開口が設けられている。ここに図示しないトイレットペーパーフォルダーを嵌め込んで、土台１０を壁に接着して、ネジ止め２０で固定すれば、壁面に強力に取り付ける事が出来る。
ペーパーフォルダーの蓋の縁には、カバー２２を貼り付ける。丁度、図２Ｔ４に示す状態になる。このカバー２２は、トイレットペーパーを片手で切る時に、トイレットペーパーが空回りしないように、重みがある金属製等が好ましい。
また、図２Ｔ４に示すように、カバー２２のトイレットペーパーと接する面に、トゲトゲのストッパー２３が付いている。即ち、カバー２２は、二等辺三角形の底辺以外の辺にギザギザの切断刃を形成し、トイレットペーパーに接する面にトゲトゲのストッパー２３を設ける。トイレットペーパーを切る時は、カバー２２をトイレットペーパー上に乗せて、引き出したトイレットペーパーを一気に上方に引っ張って切る。
カバー２２の重さで、トゲトゲのストッパー２３がトイレットペーパーの回転を抑え、ギザギザの切断刃によって、トイレットペーパーが簡単に切れる。
コ字状の棒１２は、トイレットペーパーを何回か巻き付けるために使用する。
トイレットペーパーを巻く棒１２の片側には、長さの違う棒が二本並行に突き出している。反対側には一本の棒が突き出している。二本並行に突き出している方は、トイレットペーパーの端を挟む部分である。
トイレットペーパーを巻き付ける際に、棒が一本だとほどけてしまって巻く事が出来ない。そこで、図２Ｔ４のように、二本になっている方にトイレットペーパーを挟む。さらに、Ｓ字になるように少し長めに通し引っ張って垂らしておく。図１Ｔ４に示すように、軸の所に紐１４の中心を一ヶ所固定してトイレットペーパーを巻きたい数、軸の所に固定した紐１４を巻いておく。
トイレットペーパーを巻く時は、カバー２２を上げてから使う。
短くなっている方の紐１４を引っ張るとトイレットペーパーが軸に巻いた紐の回数分巻き取られる。
二本の棒１２の長さが一本長いのはトイレットペーパーを挟みやすくする為である。トイレットペーパーを切る時はカバーを戻して巻き取ったペーパーを取って一気に上に上げて切る。
カバーの裏側に重みがあってトイレットペーパーに接する面にトゲトゲがあって切断面もギザギザの三角形をしているストッパーが付いているので切りやすくなっている。
［符合の説明］
１０  土台
１１  トイレットペーパー
１２  トイレットペーパーを巻く棒
１４  紐
１６  ループエンド
１８  トイレットペーパーフォルダーが入る場所
２０  ネジ止め孔
２２  トイレットペーパーフォルダーの蓋の裏側に取り付けるトゲトゲギザギザカバー
２３  トイレットペーパーに接する面のトゲトゲ
２４  トイレットペーパーの蓋
【００２２】
［発明の名称］（Ｔ５）
取り替え簡単布団カバー
［発明者］最上  知美
［技術分野］
本発明は簡単に取り換えられる布団カバーに関する。
［課題］
従来の布団カバーには一ヶ所にしかファスナーが付いていない。だから、布団にカバーをかけるとき、布団カバーをたぐりよせたり布団の下側にカバーを通すといった大変な作業が必要だった。
上記の課題を解決する為に、本発明は、布団カバーをたぐりよせたり引っ張ったりしないで簡単に布団カバーを掛けられるカバーを提供することを目的とする。
［解決手段］
布団カバーの、首に当たる所以外の場所を切り拡げるようにファスナーを取り付ける。
［効果］  ファスナーを開けてカバーを広げて敷いた上に布団を乗せ、上側になるカバーを戻しファスナーを閉める。これで、布団カバーをまくったり引っ張ったりしないで簡単にカバーが掛けられる。
掛け布団と敷き布団はサイズが変わるだけで同じ作り方で作ることができる。
［図面の説明］
図１Ｔ５  取り換え簡単布団カバーの材料を説明する説明図である
図２Ｔ５  布団カバーを作る工程の説明図である
図３Ｔ５  取り換え簡単布団カバーの完成図である
［実施例］
図１Ｔ５は取り換え簡単布団カバーの材料を説明する説明図である。
（a）は本体部分の材料に使用する布１２の平面図である。
（b）は長いファスナー１４の平面図である。
図２Ｔ５（a）に示す様に布１２は半分に折りたたみ縫い合わせる時にファスナー１４を一緒に縫い合わせる。
（b）に示す様にファスナー１４を開けて床に広げる。
（c）に示す様に片側に布団１６を置き反対側の布１２を上にかぶせてファスナー１４を閉める。
図３Ｔ５（a）に示す様に取り換え簡単布団カバーの完成図である。
ファスナー１４は、取り替え簡単布団カバー１０の、首に当たる所以外の場所に設ける。首に当たる所にファスナー１４があると、感触が悪いからである。取り替え簡単布団カバー１０全体を切り拡げるようにファスナー１４を取り付ける。
フアスナー１４は全部連続していなくてもよい。図３Ｔ５（b）に示すように首に当たる所の両側から矢印の様に二本ファスナー１４を取り付けてもよい。
［符合の説明］
１０  取り換え簡単布団カバー
１２  布
１４  長いファスナー
１６  布団
【００２３】
［発明の名称］（Ｔ６）
ワンハンドオープナー
［発明者］最上  知美
［技術分野］
本発明は片手でビンの蓋を開閉出来る物に関する
［課題］
ビンの蓋は、固く締まっていると、両手を使っても開け難い。各種の工具が知られているが、高額でかさばるという問題もある。まして、片手が不自由な場合には、使用できる工具は少ない。
［課題を解決する為の手段］
摩擦力の強いシリコンゴムで作り、土台の裏側はこのシートがずれない様に、洗って何度も使える粘着式である。
蓋側にも薄手の摩擦力の強いシリコンゴムシートを使用し、上からと下からと摩擦力の強いシリコンゴムで挟んでビン等の蓋を開ける。
［図面の簡単な説明］
図１Ｔ６  ワンハンドオープナーの材料を説明する
［発明を実施するための形態］
ワンハンドオープナーはシリコンゴムの強い摩擦力で片手の方にも楽にビン等の蓋を開閉することが出来る。
図１Ｔ６（a）土台１０は強い摩擦力のあるシリコンゴムで出来ており裏面はこのシートがずれない様に洗って何度も使用出来る粘着式である。
このシートの上に開閉したいビンを置き蓋の方は薄手のシリコンゴムシート１２をかぶせてひねる。孔１４は吊して収納する為の物である。
［符合の説明］
１０  シリコンゴムの土台
１２  シリコンゴムのシート
１４  孔（吊して収納する為の物）
【００２４】
［発明の名称］（Ｔ７）
ワンハンドナイフ
［発明者］最上  知美
［技術分野］
本発明は片手で肉等を切れるナイフに関する
［課題］
片手が不自由だと、料理が出されたときにナイフとフォークで肉を切ることができない。
［課題を解決する為の手段］
（a）刃物１２と（b）刃物１４を（c）留め金１６でとめ（a）刃物１２と（b）刃物１４が自動に開くようにするためのスプリング１８を取り付けた。
［図面の簡単な説明］
図１Ｔ７  ワンハンドナイフの材料を説明する説明図である
図２Ｔ７  ワンハンドナイフの完成図である
図３Ｔ７  ワンハンドナイフの握った時の図である
［発明を実施するための形態］
図１Ｔ７はワンハンドナイフの材料を説明する説明図である。
（a）刃物１２と（b）刃物１４を（c）留め金１６でとめ（a）刃物１２と（b）刃物１４が自動に開くようにするためのスプリング１８を取り付け肉等を握って切る。
硬さのある肉等は何回も握っては自動で開くので続けて切るまで握って切る。
図２Ｔ７は、ワンハンドナイフの完成図である。
図３Ｔ７は、ワンハンドナイフの握った時の図である。
ナイフの刃物１２と１４が擦れ、肉などを挟み込むように斜めにギザギザにしあり、後は皿に押しつけながら切れる様に皿に平行になるようにギザギザの幅を長めにしてある。
［符合の説明］
１０  ワンハンドナイフ
１２  刃物１
１４  刃物２
１６  留め金
１８  スプリング
【００２５】
［発明の名称］（Ｔ８）
ワンハンドタオル
［発明者］最上  知美
［技術分野］
風呂で片手で体を洗うことができるワンハンドタオルに関する。
［課題］
片手が不自由だと、風呂で背中を洗うのが難しい。
［課題を解決する為の手段］
（a）長いタオル１０
（b）長いタオル１０の両端を縫い合わせて輪を作る。
［図面の簡単な説明］
図１Ｔ８  ワンハンドタオルの材料を説明する説明図である
［発明を実施するための形態］
長いタオルの両端を縫い合わせて輪になるように縫い合わせる。
タオルが輪に繋がっているので輪の中に体を通し片手で引っ張りながらまわすと体全体が洗いやすくなる。
素材はナイロンと綿の二種類が適する。
体を洗う為のナイロン素材の物と体を拭く為の綿素材の物の両方があると、便利である。
［符合の説明］
１０  長いタオル
【００２６】
［発明の名称］（Ｔ９）
ワンハンドボトル内蓋オープナー
［発明者］最上  知美
［技術分野］
油や醤油、焼肉のタレやドレッシングなどのプラスチックの内蓋が開けられるワンハンドボトル内蓋オープナーに関する。
［課題］
片手が不自由だと、焼肉のタレやドレッシングなどのプラスチックの内蓋を開けるのが難しい。
［課題を解決する為の手段］
ワンハンドボトル内蓋オープナー１０は、軸部１２と尖端部１４と支点部１６とを備える。
［図面の簡単な説明］
図１Ｔ９  ワンハンドボトル内蓋オープナーの側面図である
図２Ｔ９  ワンハンドボトル内蓋オープナーの使用方法説明図である。
図３Ｔ９  ワンハンドボトル内蓋オープナーの使用方法（その２）の説明図である。
［発明を実施するための形態］
図１に示すように、ワンハンドボトル内蓋オープナー１０は、軸部１２と尖端部１４と支点部１６とを備える。
図２に示すように、尖端部１４をボトル２０の内蓋の輪２２に差し込む。内蓋の輪２２になっている方からすくいあげるように下から挿し込む。
ボトル２０と軸部１２を一緒に手２４で握ると半分くらい開く。
半分くらい開いたら、図３に示すように、そのまま半分回し、支点部１６をボトル２０の口に引っかけてまたさっきと同じようにボトル２０と一緒に握れば内蓋が開く。ボトル２０を握って開けるので安定感もあり片手で楽に開ける事ができる。
［符合の説明］
１０  ワンハンドボトル内蓋オープナー
１２  軸部
１４  尖端部
１６  支点部
２０  ボトル
【００２７】
［発明の名称］（Ｔ１０）
首の湿布が剥がれなくするバンド
［発明者］最上  知美
［技術分野］
首に粘着式の湿布を貼り付けたとき、その湿布が剥がれなくするバンドに関する。
［課題］
バンダナのような大きい布をたたんで首に巻いても、首の後ろの紙の生え際の湿布は剥がれてしまう。
［課題を解決する為の手段］
バンド状のもので、両端に面フアスナ１８を固定した止め部１２を備え、中央に襟状に立ち上がる襟部１４を備え、首のまわりの肩に密着する肩部１６
を備える。
［図面の簡単な説明］
図１Ｔ１０  バンド１０の分解平面図  
図２Ｔ１０  バンド１０の全体図
［発明を実施するための形態］
襟状に立ち上がる襟部１４を首に巻いて、首の後ろの紙の生え際を押さえる。肩部１６を首の後ろ側の肩に密着させる。その状態で面フアスナ１８を使用して、首の前で止め部１２を合わせる。バンド１０の中央部分で、粘着式の湿布を貼り付けた場所を覆う。これにより、湿布を剥がれなくすることができる。
［符合の説明］
１０  バンド
１２  止め部
１４  襟部
１６  肩部
１８  面ファスナ
【００２８】
［発明の名称］ＯＳ１  
お線香台  
［発明者］   大嶋  克彦
［用途］仏壇などに置くお線香台として使用する。
［従来技術］特開２００６−１７５１８４（Ｐ２００６−１７５１８４Ａ）
［目的］線香の燃え残りカスを灰の中から簡単に除去するために使用する。
［図面］
［図１ＯＳ１］  実施例１のお線香台の斜視図
［図２ＯＳ１］  お線香台の中を透視した斜視図
［図３ＯＳ１］  お線香台の側面を透視した平面図
［図４ＯＳ１］  お線香台の使用法を透視した平面図
［図５ＯＳ１］  図４の使用法の次を透視した平面図
［符号］
１０  線香
１２  灰
１４  本体
１６  振るい網
１８  ふた
２０  燃えかす線香
［実施例１］
［構成］
本体１４の上下中間に振るい網１６があり、本体１４の開口部にはふた１８が内側に嵌る様に付いている。
［希望する権利］
［効果］
線香の燃えかすが灰の中に溜まり、新しい線香が立ちにくいほどになってきたらそのまま本体を振るえば灰が下に落ち、燃えかすを分離してそのまま除去出来る。そしてそのまま本体を逆さまにすれば、すぐに線香台として使用できる状態を作れるので燃えかす処理が非常に簡単かつ迅速になった。
【００２９】
［発明の名称］ＯＳ２
パック蓋開封器
［発明者］   大嶋  克彦
［用途］食品パックの蓋を開封するために使用する。
［従来技術］特開２００４−２７７００６（Ｐ２００４−２７７００６Ａ）
［目的］カップ型食品パックのフィルム蓋を簡単に捲り開くことが出来る開封器
［図面］
［図１ＯＳ２］  実施例１のパック蓋開封器の斜視図
［図２ＯＳ２］  パック蓋開封器の側面図
［図３ＯＳ２］  パック蓋開封器の平面図
［符号］
１０  曲面ガイド
１２  上側ピンチ部
１４  下側ピンチ部
１６  蝶番
１８  バネ
［実施例１］
［構成］
曲面ガイド１０と一体化した上側ピンチ部１２が蝶番１６を介して下側ピンチ部１４とピンチ挟みを構成して、その挟みを開くためのバネ１８が握り側の内部に付いて構成している。
［希望する権利］
全体の形状は円筒形及び半円筒型や球形でもよい。いわゆる、ペンチ状の工具の先端にこの構成を応用してもよい。
［効果］
上側ピンチ部１２と下側ピンチ部１４がフィルムの先端をしっかり掴むため、固くパウチされた剥がしにくい蓋も楽に開封することが出来る。
【００３０】
［発明の名称］ＯＳ３
プルタブリング・オープナー
［発明者］   大嶋  克彦
［用途］容器のプルタブリングを開封するために使用する。
［従来技術］
[公開番号］特開２０１１−３７４５２（Ｐ２０１１−３７４５２Ａ）
［目的］調味料などの開けにくいプルタブを開封するために使用する
［図面］
［図１ＯＳ３］  プルタブリング・オープナーの斜視図
［図２ＯＳ３］  プルタブリング・オープナー使用時の断面図
［図３ＯＳ３］  プルタブリング・オープナー使用手順を示した斜視図
［符号］
１０  本体
１２  フック部 
１４  リング固定部
１６  プルリング
１８  容器口断面
２０  容器蓋
［実施例１］
［構成］
円盤状の本体１０の直径部に沿って先端にプルリング１６を引っ掛けるためのフック部１２が付いたリング固定部１４が構成されている。
［希望する権利］
［効果］
最も簡素な構造で、プルリングを引っ掛け持ち上げ回転すると言う一連の連続した動作により簡単に開封でき、容器開口部を閉ざしながら樹脂製のプルリングを取り外すことが出来るので中身が飛び出る心配も無くなった。
【００３１】
［発明の名称］ＯＳ４
トイレットペーパーの巻き取り器
［発明者］   大嶋  克彦
［用途］トイレットペーパーを巻き取るために使用する。
［従来技術］特開２０００−１３９７６７（Ｐ２０００−１３９７６７Ａ）
［目的］トイレットペーパーを片手で簡単に巻き取る道具
［図面］
［図１ＯＳ４］  実施例１トイレットペーパーの巻き取り器の斜視図
［図２ＯＳ４］  トイレットペーパーホルダーとトイレットペーパーの巻き取り器の取り付け位置関係を示した斜視図
［図３ＯＳ４］実際にトイレットペーパーの巻き取る時のペーパーの掛け方を示した側面図
［図４ＯＳ４］図３の行程の後にペーパーをカットする時の巻き取り器とペーパーの位置関係を示した側面図。Aの位置はペーパーのミシン目を指している。
［図５ＯＳ４］図４の行程の後にカットされたペーパーが４つ折りになった状態を示した側面図
［符号］
１０  取り付けステー
１２  上棒
１４  下棒
１６  下棒可動用アーム
１８  トイレットペーパーホルダー本体
２０  トイレットペーパー
［実施例１］
［構成］
本体を壁に取り付ける取り付けステー１０に地面と水平方向に上棒１２が付き、その棒軸の芯に振り子の様に自由に動く下棒可動用アーム１６が取り付けられている。そして下棒可動用アーム１６の下端には上棒１２と平行になる様に下棒１４が取り付けられている。
［希望する権利］
下棒１２が一番下の位置に戻る原理は錘でも、バネ式でも、磁力式でも、ゴム式でもよい。
［効果］
幾重にもトイレットペーパーを巻き取らず、四つ折りまでの巻き取りと限定した
【００３２】
［発明の名称］ＯＳ６
果実熟成台
［発明者］   大嶋  克彦
［用途］果実を美味しく熟成させるために使用する。
［従来技術］特開平１１−４６６７７
［目的］果実の甘みを果肉内部で均等にし、熟成させる台
［図面］
［図１ＯＳ６］  実施例１の果実熟成台の斜視図
［図２ＯＳ６］  実施例１の果実熟成台の上面図
［図３ＯＳ６］  果実熟成台にメロンを乗せた使用時の透視側面図
［符号］
１０  本体
１２  果実支え脚
１４  食べ頃アラーム
１６  メロン
［実施例１］
［構成］
円筒形で内壁面に3本の果実支え脚１２がある本体１０から構成され、本体１０の外側面には、食べ頃の日付をカウントダウンする食べ頃アラーム１４が付いている。
［希望する権利］
［効果］
果実を逆さまに置いて熟成させる事により、果肉内部の甘さの分布が果実上部の方へ均等に移動し、カットして食べた時甘みのバランスが良くなって美味しさが際だつ様になった。すり鉢状の果実支え脚を3本にしたことにより様々な大きさの果実を安定良く逆さまに支えることが出来る。
【００３３】
［発明の名称］ＯＳ７
窓拭き補助具
［発明者］   大嶋  克彦
［用途］窓拭きのために使用する。
［従来技術］特開２０００−２２９０５５（Ｐ２０００−２２９０５５Ａ）
［目的］自動車のフロント及びリヤガラスの内側などの様な手が届きにくい場所でも楽に簡単に拭き掃除が出来る補助具
［図面］
［図１ＯＳ７］  実施例１の窓拭き補助具の斜視図
［図２ＯＳ７］  窓拭き補助具の側面図
［符号］
１０  窓拭きクロスパッド
１２  グリップ
１４  腕押さえ
１６  本体
１８  窓拭きクロス留め
２０  ユニバーサルジョイント
［実施例１］
［構成］
本体１６の先端部に窓拭きクロスパッド１０がユニバーサルジョイント２０で接合されており、また本体１６の中心部にグリップ１２、その後ろに腕押さえ１４が固定されている。窓拭きクロスパッド１０の裏側には窓拭きクロス留め１８があり、それによって市販の窓拭きクロスが留められる様になって構成する。
［希望する権利］
窓拭きクロスパッド１０の形状及び大きさは制限しない。ユニバーサルジョイント２０は金属製だけでなく柔らかく自在に曲がる樹脂自体の弾性を応用したジョイントでも良い。
［効果］
グリップ１２を握った際に丁度肘あたりが腕押さえ１４で固定されるので、先端部に力が掛かり、自動車の深く傾斜したリヤガラスなどの奥の方まで楽にスピーディーに窓拭きをすることが出来る。
【００３４】
［発明の名称］ＯＳ８
段ボール紙や厚紙の束ね具
［発明者］   大嶋  克彦
［用途］段ボール紙や厚紙を束ねるために使用する
［従来技術］特開２００８−２４３２３（Ｐ２００８−２４３２３Ａ）
［目的］段ボール紙や厚紙を畳んで回収する際に、簡単に紐で束ねることが出来る道具
［図面］
［図１ＯＳ８］  実施例１の段ボール紙束ね具の斜視図
［図２ＯＳ８］  段ボール紙束ね具の側面図
［図３ＯＳ８］  紐と紐留めと太針の斜視図
［図４ＯＳ８］  段ボール紙を束ねた状態の斜視図
［符号］
１０  上板
１２  スポンジ
１４  台板
１６  中穴
１８  太針
２０  紐
２２  紐留め
２４  段ボール紙
２６  針押しスティック
２８  凹穴
［実施例１］
［構成］
中穴１６が中心に空いたスポンジ１２が上板１０と台板１４で挟まれていて、その中穴１６の中に紐留め２２が縛られた紐２０を通した太針１８が入って構成する
［希望する権利］
スポンジ１２の代わりにバネでも良い。上板１０及び台板１４の形状は円形でも多角形でも良い。
［実施例２］
［構成］
段ボール紙を貫通させるための太針１８の頭を押さえる凹穴２８の穴が開いている針押しスティック２６は握りやすい形状をしている。
［効果］
太針１８を上向きにして上から押さえる様に段ボール紙を突き刺して行くので力が入らずに順次数枚の段ボール紙に紐を通すことが出来る。紐を結ぶのが苦手な人でも紐留め２２で簡単に紐を留めることが出来る。また、紐留め２２は紙で作れば簡単に引きち切れるので段ボール紙を留めた紐は簡単に外すことが出来る。そして最短の紐で留められるので経済的かつエコロジーに優れている。
【００３５】
［発明の名称］ＯＳ９
転倒防止スリッパ
［発明者］   大嶋  克彦
［用途］転倒して怪我をしないために使用する。
［従来技術］特開２００７−１４３９３８（Ｐ２００７−１４３９３８Ａ）
［目的］歩行中、床の段差などに躓いて転倒しないように身を守るための履き物
［図面］
［図１ＯＳ９］  実施例１の転倒防止スリッパの足留め解放時斜視図
［図２ＯＳ９］  転倒防止スリッパの平面図
［図３ＯＳ９］  転倒防止スリッパの側面図
［符号］
１  本体
２  マグネット
［実施例１］
［構成］
スリッパ本体１の上側が中心線で縦にカットされており、その上側切り口の断面にマグネット２が埋め込まれて構成する。
［希望する権利］
スリッパのみならず、サンダル等、同じ構成が可能なデザインの履き物なら多種多様な履き物に応用してよい。
［効果］
歩行中、スリッパ先端部が床の段差に引っかかり躓いた瞬間、スリッパ上側に体重が掛かればその力でマグネットが離れ上側が開き、足が解放されるので足を前へ踏み出すことができ、転倒を回避することが出来る。
【００３６】
［発明の名称］ＯＳ１０
米とぎ用洗浄台
［発明者］   大嶋  克彦
［用途］米を研ぐために使用する。
［従来技術］特開２０１０−２０７４０２（Ｐ２０１０−２０７４０２Ａ）
［目的］米のとぎ汁を簡単に洗い流す台
［図面］
［図１ＯＳ１０］  実施例１の米とぎ用洗浄台の斜視図
［図２ＯＳ１０］  米とぎ用洗浄台に炊飯器の内釜を乗せて米をとぐ使用時の側面図
［符号］
１０  本体
１２  ストッパー
１４  炊飯器の内釜
１６  水
１８  米
２０  洗浄水を入れる方向
２２  とぎ汁が流れ出る方向
［実施例１］
［構成］
円筒形の内釜が転がり落ちない様に上部がY字にカットされたL字型の本体１０に同じく釜の底辺部が滑らない様に止めるストッパー１２から成る。
［希望する権利］
［効果］
米を研ぐための専用の別容器を使わずに、炊飯器の内釜をそのまま米研ぎ器として利用し、簡単に研ぎ汁を洗い流すことが可能となった。よって、米研ぎ用別容器を洗う必要も無くなり洗剤や水を節約できる様になった。
【００３７】
［発明の名称］ＡＢ１
背部洗いタオルの補助具
［発明者］  油谷  正克
［用途］片手で背部を洗うために使用する
［従来技術］
［登録番号］実用新案登録第３１６６０６９号（Ｕ３１６６０６９）
［目的］片麻痺身障者が背部をタオルで洗う時に使う補助具
［図面］
［図１ＡＢ１］  実施例１の背部洗いタオルの補助具の斜視図
［図２ＡＢ１］  本発明品にナイロンタオルを装着した時の
［図３ＡＢ１］  本発明品の使用例を示した図
［図４ＡＢ１］  実施例２の背部洗いタオルの補助具の斜視図
［符号］
１０  本体フック
１２  ゴム管
１４  バネ
１６  本体骨
１８  タオルフック
２０  壁フック
２２  タオル
２４  風呂場イス
２６  人体背部
２８  ゴム留め具
３０  紐ゴム
３２  固定用フック
［実施例１］
［構成］
タオル２２を引っ掛けるタオルフック１８が二股になった本体骨１６の先端にあり、また本体全体を伸縮させるためのバネ１４がゴム管１２の中を通って、その
もう一端には本体フック１０が付いている
［希望する権利］
［実施例２］
［構成］
紐ゴム３０の両端にはゴム留め具２８が付いて、一端にはタオル２２、もう一端には固定用フック３２が付いている。
［希望する権利］
［効果］
片麻痺身障者が片手で背部を洗う時に本発明品が麻痺側の手の代わりを果たし、健常者と同じ様な洗い方で自分の背部を洗えるようになった。
【００３８】
［書類名］明細書
［発明の名称］ＩＢ１
安全まな板
［発明者］  岩渕  信
［技術分野］  
［０００１］
本発明は、まな板で食材を加工する時、あやまって包丁で、手指を切ったりする怪我の確率を減らすのに役立つ安全まな板の構造に関する。
［背景技術］
［０００２］
従来のまな板の例を図５ＩＢ１に示す。
図中の符号を付けた部分は下記のような名前でよぶ。
３．食材
４．食材を持つ手
５．包丁
１４．まな板
１５．包丁を持つ手
［０００３］
上記のようなまな板は、例えば、（特許文献１）に記載されている。
「特許文献１」公開番号
特許公開２００９−１７８３３８  まな板
「発明の開示」
「発明が解決しようとする課題」
［０００４］
ここで、従来のまな板を使用した食材加工では、次のような解決すべき課題があった。
一方の手で、まな板上の食材を保持し、他方の手で握った包丁で食材を切っていた。調理人が、間違って包丁がぶれて、手を傷つける等の怪我の危険があった。
［０００５］
本発明は以上のような問題を解決するためになされたもので、まな板上で、食材を保持する側と、包丁で切る側との間に、食材だけが通れる程度の大きさのトンネル穴を開けた仕切り板を設ける事で、包丁が、食材を保持している側に入り込めない様にし、怪我を少なくする様にした。
（方法１）仕切り板は大きさ、形状の異なる１個のトンネル穴の開いたものを複数個準備し、食材を保持した指が仕切り板のトンネル穴を通って包丁側にはみ出さないような、食材の形状、大きさのトンネル穴の開いた仕切り板を選んで、まな板に交換取り付けして使用する方法や、
１枚の仕切り板に、形状、大きさの異なる複数のトンネル穴を明けておき、食材にあった
トンネル穴を選んで使用する方法。
（方法２）仕切り板のトンネル上部に、自重で落下する食材保持板を組み込み、トンネル径と食材の間の空間を塞ぎ、指を包丁側に突出する確率を少なくし、同時に食材が加工で短くなり手指で保持できなくなった場合、食材保持板を経由して食材を保持する方法。
［０００６］
本発明の実施例について述べる。
（構成１）
まな板側には仕切り板取り付け穴を設け、仕切り板には、まな板の穴に挿入する突起を設け、挿入、抜き取りし、仕切り板を交換できる様にする。（まな板と仕切り板の交換方法はネジ等で行う方法でも良い）
［０００７］
（構成２）
仕切り板には、トンネル穴を設ける。トンネル穴の形状、大きさは、食材を保持した指がトンネル穴を通して包丁側にはみ出さないように、大きさ形状を実験上から決定する。いろんな食材にあうようにトンネル穴の大きさ形状の異なる複数個の仕切り板を準備し、調理人は食材に合わせて仕切り板を選んで使用する。
「発明を実施する為の最良の形態」
［０００８］
以下、本発明の実施の形態をについて詳細に説明する。
［実施例］
［０００９］
図１ＩＢ１は、（方法１）まな板と仕切り板を組み立てた基本配置状態の斜視立体図。
１  まな板
２．仕切り板Ａ
３．食材
４．食材を持つ手
５．包丁
［００１０］
図２ＩＢ１は、（方法１）のまな板と仕切り板の分解、取り付け。及び交換仕切り板の斜視立体図
６．仕切り板Ｂ
７．仕切り板Ｃ
８．穴
９．凸部
図３ＩＢ１は、（方法２）の仕切り板組立、の斜視立体図
１０．仕切り板組立
１１．食材押さえ板
図４ＩＢ１は（方法２）の仕切り板組立の側面断面図
１２．食材挿入側仕切り板
１３．包丁側仕切り板
図５ＩＢ１は従来のまな板で通常の食材加工の例を示す斜視立体図。
１４．従来のまな板
１５．包丁を持つ手
［基本操作］
安全まな板の基本操作を述べる。
図１ＩＢ１・まな板（１）に取り付けた、仕切り板Ａ（２）の一方から、食材（３）を手指（４）で持って、食材（３）のみを仕切り板のトンネルを通し、反対側へカットする量だけ押し出し、包丁（５）でカットする。この場合、仕切り板Ａ（２）があるため、包丁は食材を持っている手指（４）の方には入れない。従って、食材（３）を持っている手指（４）を怪我することが無い。
図２ＩＢ１．食材はいろんな形、大きさがあるので、仕切り板Ａ（２）、仕切り板Ｂ（６）、仕切り板Ｃ（７）のように、経験と、実験上から決定した大きさ、形の異なるトンネルをも持った、複数種の仕切り板を準備しておき、加工する食材を持った手指が通らず、食材（３）だけが通るトンネルになっている仕切り板を選び、まな板（１）の穴（８）へ仕切り板の凸部（９）をはめ込んで使用する。こうして手指が包丁側に飛び出し怪我をするのを少なくする。
図３ＩＢ１．図４ＩＢ１．は、仕切り板組立（１０）で、食材押さえ板（１１）を組み込んだ仕切り板である。食材押さえ板（１１）を持ち上げ、開いたトンネルに食材（３）を入れる。手で食材（３）を押しては切り、押しては切りしている間は、食材押さえ板（１１）が食材（３）の上に落下して、トンネルとの隙間を防ぎ、手指がトンネルの包丁側に出るのを防ぐ。更に、食材（３）が短くなったら、手で押さえず、食材押さえ板（１１）を介して、食材（３）を抑えてカットする。
［図面の簡単な説明］
［００１０］
［図１ＩＢ１］（方法１）まな板と仕切り板を組み立てた基本配置状態の斜視立体図。
［図２ＩＢ１］（方法１）まな板と仕切り板の分解、取り付け。及び交換仕切り板の斜視立体図
［図３ＩＢ１］（方法２）の仕切り板組立、の斜視立体図
［図４ＩＢ１］（方法２）仕切り板組立の側面断面図仕切り板組立の側面断面図
［図５ＩＢ１］は従来のまな板で通常の食材加工の例を示す斜視立体図。
［符号の説明］
１．まな板
２．仕切り板Ａ
３．食材
４．食材を持つ手
５．包丁  
６．仕切り板Ｂ
７．仕切り板Ｃ
８．穴
９．凸部
１０．仕切り板組立
１１．食材押さえ板
１２．食材挿入側仕切り板
１３．包丁側仕切り板
１４．従来のまな板
１５．包丁を持つ手
［書類名］要約書
［要約］
［課題］一方の手で、まな板上の食材を保持し、他方の手で握った包丁で食材を切っていた。調理人が、間違って包丁がぶれて、手を傷つける等の怪我の危険があった。
［解決手段］まな板上で、食材を保持する側と、包丁で切る側との間に、食材だけが通れる程度の大きさのトンネル穴を開けた仕切り板を設ける事で、包丁が、食材を保持している側に入り込めない様にした。
［効果］包丁が、食材を保持している側に入り込めない様になり、怪我が少なくなる。
［選択図］図１ＩＢ１
［書類名］特許請求の範囲
［請求項１］
まな板で食材を加工する時、あやまって包丁で、手指を切ったりする怪我を減らす為、まな板上で、食材を保持する側と、包丁で切る側との間に、食材だけが通れる程度の大きさのトンネル穴を開けた仕切り板を設ける事で、包丁が、食材を保持している側に入り込めない様にし、食材を持っている手指の怪我を減らす様にした構造。仕切り板は、大きさ、形状の異なるトンネル穴の明いたものを複数個準備し、食材の大きさに合わせて、仕切り板を選んで、まな板に交換取り付けして使用する構造。及び一枚の仕切り板に寸法、形状の異なる複数のトンネル穴を明けておき、まな板に取り付け、食材の大きさに合わせて穴を選んで使用する構造。
［請求項２］
仕切り板に、自重落下の食材保持板を組み込み、トンネル穴と食材の間の空間を塞ぎ、指を包丁側に突出するのを防ぐため、及び食材が加工終端で短くなり手指で保持できなくなった場合に食材保持板を経由して食材を保持するようにした構造。
【００３９】
［書類名］明細書
［発明の名称］ＩＢ２
簡単写真額縁
［発明者］  岩渕  信
［技術分野］  
［０００１］
本発明は、写真用額縁において、写真を直接基板表面に取付けることにより写真を鑑賞者に最も良く見え、かつ、経済化を計った、壁掛け、卓上兼用の簡単写真額縁の構造に関する。
［背景技術］
［０００２］
従来の写真用額縁の正面図と側断面図を図６ＩＢ２に示す。
図中の符号を付けた部分は下記のような名前でよぶ。
１７  額縁
１８  表面ガラス
１９  マット
２０  写真
２１  裏板
２２  止め金
２３  止め金止めネジ
［０００３］
上記のような額縁は、例えば、（特許文献１）に記載されている。
「特許文献１」公開番号
特許公開２００９−０６６２３９  額縁
［発明の開示］
［発明が解決しようとする課題］
［０００４］
ここで、従来の技術には、次のような解決すべき課題があった。
写真の表面に透明ガラスや透明プラスチックを使用するため、表面反射で写真が見づらかった。また写真をガラスで挟み込む構造の為、構成部材が多くコストが高かった。また、重量もあり、地震などによる落下でガラスが破損したり、人に当たったときは怪我の心配があった。
［０００５］
本発明は以上のような問題を解決するためになされたもので、基板、写真取り付けコーナーピース、写真張付け取り外し時に使用する大丸穴、写真をたわまぬ様に保持する丸穴、写真粘着ピース、両面粘着テープ、壁掛用ひも取り付ブラケット、写真立て用脚ホルダー、脚、スリップ防止ゴム片を備えた簡単写真額縁である。
［０００６］
以下、本発明の実施の形態を詳細に説明する。
［実施例］
［０００７］
図１ＩＢ２は正面図である。
１  基板  
２  コーナーピース
３  写真
４  外周プロテクタ
５  丸穴
６  写真粘着ピース
７  大丸穴
２４  スリップ防止ゴム片  
図２ＩＢ２は裏面図である。
８  脚ホルダ
９  紐取付けブラケット
１０  吊り紐
１１  脚
１２  ネジ、ナット  
図３ＩＢ２は側面図（図２ＩＢ２、Ａ―Ａ`矢視図）
図４ＩＢ２は基板の丸穴位置
図５ＩＢ２は粘着テープの加工と、基板と写真の粘着方法
（両面粘着テープによる基板と写真の貼着内容）
（片面粘着テープによる基板と写真の粘着内容）
１３  両面粘着テープ
１４  片面粘着テープ
１５  下敷き
１６  丸鉛筆
図６ＩＢ２は従来の一般的額縁を示す正面図、Ｂ−Ｂ`矢視分解図を示す        
［０００８］
［基本設定］
はがきサイズ写真を横置きに取り付ける場合について、各部の構成を説明する。
基板（１）の表面にはコーナーピース（２）が、はがきサイズ写真の４隅を挟む位置に４箇設ける。４箇所のコーナーピース（２）間に直径１ｃｍぐらいの丸穴（５）と１．５ｃｍぐらいの大丸穴（６）を明けておく。丸穴（５）１箇所に対し、写真粘着ピース（６）１個準備する。基板（１）の外周には、外側がＲ状になった外周プロテクタ（４）が取り付けてあり、基板（１）の歪を補強すると共に落下した場合に人体に接触しても、怪我を少なくする働きをもたせてある。基板（１）の裏面には紐取付けブラケット（９）を４箇所設ける。吊り紐（１０）は横、縦、必要に応じた２箇所の紐取付けブラケット（９）に通して結び、壁のフックに掛ける。写真立て用には、脚ホルダ（７）を横用、縦用として２箇所設ける。さらに、横用、縦用脚（１１）を各１個準備する。スリップ防止ゴム片（２４）を準備する。
［０００９］
［基本操作］
はがきサイズ写真を横向きに取り付ける場合の取扱いについて説明する。
写真の取り付けは、写真（３）を表向きに、４箇所のコーナーピース（２）にはさむ、更に、写真（３）のたわみを防ぐため、基板（１）の丸穴（５）に裏側から、両面粘着テープ（１３）のついた写真粘着ピース（６）を挿入し、基板（１）と写真（３）を粘着する。粘着する時は、写真側は、手袋をして写真をおさえ、写真を汚さないよう注意する。写真を交換する時は粘着テープを新しい物に交換して行う。写真粘着ピース（６）を使用せず、片面粘着テープ（１４）
で基板（１）と写真（３）を粘着する方法でも良い。
なを、はがきサイズ写真は丸穴（５）一個を通しての粘着で、たわみを防ぐに充分だが、写真サイズが大きくなるに従い、図４ＩＢ２に示す様に丸穴（５）と両面粘着テープ（１３）付写真粘着ピース（６）を増やし、テープ粘着箇所を増やすことで、たわみを抑える。
写真を外す時は、始めに、裏側から、写真粘着ピース（６）を引き抜き、次にコーナーピース
（２）から写真（３）を外す。はがきサイズ写真を外す時は大丸穴（７）に裏から指で写真を押し出せば写真が容易に外れる。また、はがきサイズ写真の場合は基板（１）に粘着しなくてもあまり問題ない。壁掛け用として使用する場合は、吊り紐（１０）を用いる。
写真立て用として使用する場合は、脚（１１）、スリップ防止ゴム片（２４）を用いる。
［図面の簡単な説明］
［００１０］
［図１ＩＢ２］は正面図である。  
［図２ＩＢ２］は裏面図である。
［図３ＩＢ２］は側面図（図２ＩＢ２、Ａ―Ａ`矢視図）
［図４ＩＢ２］は基板の丸穴位置を示す。
［図５ＩＢ２］は粘着テープの加工と、基板と写真の粘着方法を示す
［図６ＩＢ２］は従来の一般的額縁を示す正面図、Ｂ−Ｂ`矢視分解図を示す
［符号の説明］
１  基板  
２  コーナーピース
３  写真
４  外周プロテクタ
５  丸穴
６  写真粘着ピース
７  大丸穴
８  脚ホルダ
９  紐取付けブラケット
１０  吊り紐
１１  脚  
１２  ネジナット
１３  両面粘着テープ
１４  片面粘着テープ
１５  下敷き
１６  丸鉛筆
１７  額縁
１８  表面ガラス
１９  マット
２０  写真
２１  裏板
２２  止め金
２３  止め金止めネジ
２４  スリップ防止ゴム片
［書類名］特許請求の範囲
［請求項１］
写真用額縁の構成を、１枚の基板とし、表面に丈夫な写真コーナ４個を設け、その写真コーナーに表向きの写真を取り付ける。写真サイズが大きく、たわむ時は、写真の裏側に相当する場所の基板に設けた数個の丸穴を通して、粘着テープで写真の裏面と基板を粘着してたわみを防ぐ簡易写真用額縁。
［請求項２］
コーナーピースを使用した写真用額縁において、写真の裏側に相当する基板に指の通る大きさの穴を開け、写真を外す時指で写真を押し出す構造。
［書類名］要約書
［要約］
［課題］従来の技術には、次のような解決すべき課題があった。
写真の表面に透明ガラスや透明プラスチックを使用するため、表面反射で写真が見づらかった。また写真を挟み込む構造の為、構成部材が多くコストが高かった。また、重量もあり、地震などによる落下でガラスが破損したり、人に当たったときは怪我をする心配があった。
［解決手段］本発明は以上のような問題を解決するためになされたものである。
（解決手段１）基板の表面に、写真取り付けコーナーピース４個を設け、写真を表向きに取り付ける。
（解決手段２）写真がたわむのを防止するため、基板に直径１Ｃｍぐらいの丸穴を明け、この穴を通して、両面粘着テープ片の付いた写真粘着ピースをはめ込み写真裏面に粘着し写真を保持する。穴を通しているため、粘着テープは容易に剥がせ、写真の交換を容易にする。
（解決手段３）基板の外周には、外側がＲ状になった外周プロテクタを取り付ける。
（解決手段４）表面ガラスや表面プラスチックを使用しない。
［効果］上記の解決手段を用いることで、次の様な効果がある。
（効果１）表面反射がなく、写真がすっきり見える。
（効果２）写真に裏張り補強が必要ないので、外した写真の保存が容易。
（効果３）構成部品が少ないのでコスト低減できる。    
（効果４）構成部品が少ないので重量が軽く、かつ基板の外周には丸みがあるので、落下した場合の接触による怪我の度合いが少ない。
（効果５）写真の取り付け取り外しが容易。
［選択図］図１ＩＢ２．
１２  記憶装置
１４  出願データ
１６  出願明細書のデータ
１８  図面データ
２０  発明等を紹介するページ
２２  出願紹介ページ生成手段
２４  願書のデータ
２６  出願人
２８  発明者等のデータ
３０  特許番号
３２  特許出願番号
３４  販売責任者表示データ
３６  販売責任者データ生成手段
３８  商品を撮影した画像データ
４０  商品カタログ
４２  商品カタログデータ入力手段
４４  定形化ウェブページ
４６  定形化ウェブページ手段
４８  ウェブサーバ
５０  定形化ウェブページアップロード手段
５２  演算処理装置
【００４０】
以上のような出願紹介のページを自動的に生成することにより、自動的に定形化ウェブページをサーバにアップロードできる。従って、多数の申込みに対して自動的に対応することができる。
【符号の説明】
【００４１】
１２  記憶装置
１４  出願データ
１６  出願明細書のデータ
１８  図面データ
２０  発明等を紹介するページ
２２  出願紹介ページ生成手段
２４  願書のデータ
２６  出願人
２８  発明者等のデータ
３０  特許番号
３２  特許出願番号
３４  販売責任者表示データ
３６  販売責任者データ生成手段
３８  商品を撮影した画像データ
４０  商品カタログ
４２  商品カタログデータ入力手段
４４  定形化ウェブページ
４６  定形化ウェブページ手段
４８  ウェブサーバ
５０  定形化ウェブページアップロード手段
５２  演算処理装置
【図１】
2012243169.tif 000003
【図２】
2012243169.tif 000004
【図３】
2012243169.tif 000005
【図４】
2012243169.tif 000006
【図５】
2012243169.tif 000007
【図６】
2012243169.tif 000008
【図７】
2012243169.tif 000009
【図８】
2012243169.tif 000010
【図９】
2012243169.tif 000011
【図１０】
2012243169.tif 000012
【図１１】
2012243169.tif 000013
【図１２】
2012243169.tif 000014
【図１３】
2012243169.tif 000015
【図１４】
2012243169.tif 000016
【図１５】
2012243169.tif 000017
【図１６】
2012243169.tif 000018
【図１７】
2012243169.tif 000019
【図１８】
2012243169.tif 000020
【図１９】
2012243169.tif 000021
【図２０】
2012243169.tif 000022
【図２１】
2012243169.tif 000023
【図２２】
2012243169.tif 000024
【図２３】
2012243169.tif 000025
【図２４】
2012243169.tif 000026
【図２５】
2012243169.tif 000027
【図２６】
2012243169.tif 000028
【図２７】
2012243169.tif 000029
【図２８】
2012243169.tif 000030
【図２９】
2012243169.tif 000031
【図３０】
2012243169.tif 000032
【図３１】
2012243169.tif 000033
【図３２】
2012243169.tif 000034
【図３３】
2012243169.tif 000035
【図３４】
2012243169.tif 000036
【図３５】
2012243169.tif 000037
【図３６】
2012243169.tif 000038
【図３７】
2012243169.tif 000039
【図３８】
2012243169.tif 000040
【図３９】
2012243169.tif 000041
【図４０】
2012243169.tif 000042
【図４１】
2012243169.tif 000043
【図４２】
2012243169.tif 000044
【図４３】
2012243169.tif 000045
【図４４】
2012243169.tif 000046
【図４５】
2012243169.tif 000047
【図４６】
2012243169.tif 000048
【図４７】
2012243169.tif 000049
【図４８】
2012243169.tif 000050
【図４９】
2012243169.tif 000051
【図５０】
2012243169.tif 000052
【図５１】
2012243169.tif 000053
【図５２】
2012243169.tif 000054
【図５３】
2012243169.tif 000055
【図５４】
2012243169.tif 000056
【図５５】
2012243169.tif 000057
【図５６】
2012243169.tif 000058
【図５７】
2012243169.tif 000059
【図５８】
2012243169.tif 000060
【図５９】
2012243169.tif 000061
【図６０】
2012243169.tif 000062
【図６１】
2012243169.tif 000063
【図６２】
2012243169.tif 000064
【図６３】
2012243169.tif 000065
【図６４】
2012243169.tif 000066
【図６５】
2012243169.tif 000067
【図６６】
2012243169.tif 000068
【図６７】
2012243169.tif 000069
【図６８】
2012243169.tif 000070
【図６９】
2012243169.tif 000071
【図７０】
2012243169.tif 000072
【図７１】
2012243169.tif 000073
【図７２】
2012243169.tif 000074
【図７３】
2012243169.tif 000075
【図７４】
2012243169.tif 000076
【図７５】
2012243169.tif 000077
【図７６】
2012243169.tif 000078